(57)【要約】【課題】  電気信号接続用ソケットの提供。【解決手段】  内部に中空室を具えたケースと、該ケースの入口近くの所定位置に形成された弾性サスペンションアームを具え、該弾性サスペンションアームが自由端を具え、該自由端の表面に、内向きに傾斜する幅細凸部と外向きに傾斜する幅広凸部が相互に隣接するように形成されている電気信号接続用ソケットにおいて、弾性サスペンションアームの外側に強化支持片が設けられて弾性サスペンションアームに十分な支持力を提供し、弾性サスペンションアームの支持能力が強化されたことを特徴とする。【選択図】        図３
0003105324.tif 000002
【実用新案登録請求の範囲】
【請求項１】
剛性壁で画定された内部の中空室を具えたケースを具え、該剛性壁の内表面に、対応するプラグを対応位置に依り該中空室に導入してプラグに左右の偏移を発生させない溝或いは軌道が設けられ、
該中空室の入口近くの所定位置に少なくとも一つの弾性サスペンションアームが設けられ、該弾性サスペンションアームがプラグの進入を阻止する凸部を具えた自由端を具え、該弾性サスペンションアームが外力の圧迫を受けて中空室に対して側向の偏移を形成して該自由端による阻止を解除してプラグを順調に進入させるよう形成された電気信号接続用ソケットにおいて、
該弾性サスペンションアームの外側が、ソケット本体に固定された少なくとも一つの強化支持片により内向きに支持されたことを特徴とする、電気信号接続用ソケット。
【請求項２】
請求項１記載の電気信号接続用ソケットにおいて、強化支持片が金属で形成されたことを特徴とする、電気信号接続用ソケット。
【請求項３】
請求項１又は２記載の電気信号接続用ソケットにおいて、弾性サスペンションアームが中空室内の一面の二側辺に接近する位置に形成されたことを特徴とする、電気信号接続用ソケット。
【請求項４】
請求項１又は２記載の電気信号接続用ソケットにおいて、弾性サスペンションアームの自由端が中空室内の幅細位置に設けられた幅細凸部と幅広位置に設けられた幅広凸部を具え、且つ幅細凸部に中空室入口に向いたストッパ部が形成されたことを特徴とする、電気信号接続用ソケット。
【請求項５】
請求項３記載の電気信号接続用ソケットにおいて、弾性サスペンションアームの自由端が中空室内の幅細位置に設けられた幅細凸部と幅広位置に設けられた幅広凸部を具え、且つ幅細凸部に中空室入口に向いたストッパ部が形成されたことを特徴とする、電気信号接続用ソケット。
【請求項６】
請求項４記載の電気信号接続用ソケットにおいて、幅広凸部が幅細凸部の外側に形成されたことを特徴とする、電気信号接続用ソケット。
【請求項７】
請求項５記載の電気信号接続用ソケットにおいて、幅広凸部が幅細凸部の外側に形成されたことを特徴とする、電気信号接続用ソケット。
【請求項８】
請求項４記載の電気信号接続用ソケットにおいて、幅細凸部と幅広凸部が隣接し、その表面が反対方向に傾斜し、幅細凸部と幅広凸部が相互に接続或いは連続する脊線を形成したことを特徴とする、電気信号接続用ソケット。
【請求項９】
請求項５記載の電気信号接続用ソケットにおいて、幅細凸部と幅広凸部が隣接し、その表面が反対方向に傾斜し、幅細凸部と幅広凸部が相互に接続或いは連続する脊線を形成したことを特徴とする、電気信号接続用ソケット。
【請求項１０】
請求項８記載の電気信号接続用ソケットにおいて、幅細凸部と幅広凸部の高さが同じとされたことを特徴とする、電気信号接続用ソケット。
【請求項１１】
請求項９記載の電気信号接続用ソケットにおいて、幅細凸部と幅広凸部の高さが同じとされたことを特徴とする、電気信号接続用ソケット。
【請求項１２】
請求項４記載の電気信号接続用ソケットにおいて、幅細凸部と幅広凸部の高さが同じとされたことを特徴とする、電気信号接続用ソケット。
【請求項１３】
請求項５記載の電気信号接続用ソケットにおいて、幅細凸部と幅広凸部の高さが同じとされたことを特徴とする、電気信号接続用ソケット。
【考案の詳細な説明】
【技術分野】
【０００１】
本考案は一種の電気信号接続用ソケットに係り、特に、弾性サスペンションアームに強化支持片が設けられて弾性サスペンションアームの支持能力を補強し、電気信号接続用ソケットのプラグに、それより小さい規格の非適合の電気信号プラグが挿入されるのを防止する機能が向上された、電気信号接続用ソケットに関する。
【背景技術】
【０００２】
コンピュータネットワークシステム、例えばモデムを信号端子を具えた電気信号コネクタと組み合わせ、一端をコンピュータに接続し、反対端をネットワークに接続してデータの伝送を行なう等は、周知の技術である。このような電気信号プラグ／ソケットの技術開発はすでに成熟している。周知の技術としては、モジュール回路に直接差し込める或いは接続できる電気信号接続用ソケットの設計、電気信号接続用ソケットのケースに改良を加えた設計、電気信号接続用ソケットの防塵カバーの設計、電磁波干渉遮断機能を具えた電気信号接続用ソケットの設計、電気信号接続用ソケットのジャンパ装置の設計、電気信号接続用ソケットのシールド構造、或いは電気信号接続用ソケットの導線構造、特許文献１１のソケットの面板構造の設計等がある。
【０００３】
また、別に、固定幅の滑り溝、階段状凹縁距離と柵形隔板等を具えたソケットケースに、端子シートが凸縁を利用して滑り溝に単一形態で挿入されて階段状凹溝と嵌合され、接合される構造を提供している。また、特許文献１３は、内外のソケットケースの組合せを提供し、それによると、内ソケットケースが基板のピンに半田付けされる端子を具え、該端子がベース、上面、溝、フックが反対方向に突出する凸塊と管状チャネルを具えた端子台に取付られ、垂直部分と水平延伸部分、前述のピンが圧入される溝を具えた押し板、前述のフックと係合する係合部、及び案内チャネルと指状部が組み合わされた設計も提供されている。
【０００４】
以上の従来の技術は電気信号接続用ソケットに係り、技術上の改善を有して特許を取得しているが、電気信号プラグとソケットの組合せ構造上、特殊な改良はなく、ありふれた設計である。例えば、現段階のモデムは電話線接続のナローバンドシステムと、ブロードバンドネットワーク線で接続されるブロードバンドシステムに分けられる。実務上、それらの多くは寸法が対応するプラグとソケットを使用することで接続される。しかし、一般にはブロードアンド用プラグとソケットの幅はナローバンドのものより大きい（現在既に規格化されている）。このため実際の操作上、二種類のプラグ／ソケットを使用する時、うっかりと小規格のナローバンドプラグを大規格のブロードバンドソケットに挿入してしまい、モデム或いは対応する機器の短絡の状況を形成することがある。典型的な例では、一般の電話線のプラグを直接ブロードバンドモデムのソケットに挿入してしまい、モデムの短絡を形成してしまうことがあり、このような状況は極めてよく目にされることであり、好ましくないことである。
【０００５】
本件出願人は、特許文献１において、電気信号接続用ソケットを提供しており、それは、剛性壁で内部中空室を画定したケースを具え、該ケースの中空室の入口近くの一辺或いは二辺に軸線方向に沿って、外力に対応して進入する時に揺動移動を形成する弾性サスペンションアームが一体に形成されている。この弾性サスペンションアームは上述の入口に向いた自由端を具え、且つ該自由端の中空室内に向いた表端面に、隣り合う形式で入口或いは入口と反対の方向に向けて、二つの対応する幅の狭い、及び二つの対応する幅広の傾斜凸部が設けられ、小規格の電気信号プラグが挿入される時に対応する幅の狭い凸部が進入を阻止し、正確な大規格のプラグが挿入される時は、別の一組の幅広の凸部が弾性サスペンションアームを圧迫して上述の揺動移動を形成させ、阻止を解除して順調にプラグをソケットに進入させて接続を達成するものとされている。しかし、この構造は、弾性サスペンションアームが経常的にプラグの外向きの圧迫を受けるために弾性疲労を形成したり亀裂を発生しやすいため、改善の必要があった。
【０００６】
【特許文献１】台湾特許出願第９１２２０１１６号明細書
【考案の開示】
【考案が解決しようとする課題】
【０００７】
本考案の主要な目的は、弾性サスペンションアームの外側付近にあって、ソケット本体に固定された強靱な強化支持片（例えば金属支持片）を利用し、この支持片に常態で弾性サスペンションアームの外側を支持させ、弾性サスペンションアームに内向きの支持力を具備させるほか、弾性サスペンションアームに弾性疲労が発生する可能性を減らせるようにすることにある。
【課題を解決するための手段】
【０００８】
請求項１の考案は、剛性壁で画定された内部の中空室を具えたケースを具え、該剛性壁の内表面に、対応するプラグを対応位置に依り該中空室に導入してプラグに左右の偏移を発生させない溝或いは軌道が設けられ、
該中空室の入口近くの所定位置に少なくとも一つの弾性サスペンションアームが設けられ、該弾性サスペンションアームがプラグの進入を阻止する凸部を具えた自由端を具え、該弾性サスペンションアームが外力の圧迫を受けて中空室に対して側向の偏移を形成して該自由端による阻止を解除してプラグを順調に進入させるよう形成された電気信号接続用ソケットにおいて、
該弾性サスペンションアームの外側が、ソケット本体に固定された少なくとも一つの強化支持片により内向きに支持されたことを特徴とする、電気信号接続用ソケットとしている。
請求項２の考案は、請求項１記載の電気信号接続用ソケットにおいて、強化支持片が金属で形成されたことを特徴とする、電気信号接続用ソケットとしている。
請求項３の考案は、請求項１又は２記載の電気信号接続用ソケットにおいて、弾性サスペンションアームが中空室内の一面の二側辺に接近する位置に形成されたことを特徴とする、電気信号接続用ソケットとしている。
請求項４の考案は、請求項１又は２記載の電気信号接続用ソケットにおいて、弾性サスペンションアームの自由端が中空室内の幅細位置に設けられた幅細凸部と幅広位置に設けられた幅広凸部を具え、且つ幅細凸部に中空室入口に向いたストッパ部が形成されたことを特徴とする、電気信号接続用ソケットとしている。
請求項５の考案は、請求項３記載の電気信号接続用ソケットにおいて、弾性サスペンションアームの自由端が中空室内の幅細位置に設けられた幅細凸部と幅広位置に設けられた幅広凸部を具え、且つ幅細凸部に中空室入口に向いたストッパ部が形成されたことを特徴とする、電気信号接続用ソケットとしている。
請求項６の考案は、請求項４記載の電気信号接続用ソケットにおいて、幅広凸部が幅細凸部の外側に形成されたことを特徴とする、電気信号接続用ソケットとしている。
請求項７の考案は、請求項５記載の電気信号接続用ソケットにおいて、幅広凸部が幅細凸部の外側に形成されたことを特徴とする、電気信号接続用ソケットとしている。
請求項８の考案は、請求項４記載の電気信号接続用ソケットにおいて、幅細凸部と幅広凸部が隣接し、その表面が反対方向に傾斜し、幅細凸部と幅広凸部が相互に接続或いは連続する脊線を形成したことを特徴とする、電気信号接続用ソケットとしている。
請求項９の考案は、請求項５記載の電気信号接続用ソケットにおいて、幅細凸部と幅広凸部が隣接し、その表面が反対方向に傾斜し、幅細凸部と幅広凸部が相互に接続或いは連続する脊線を形成したことを特徴とする、電気信号接続用ソケットとしている。
請求項１０の考案は、請求項８記載の電気信号接続用ソケットにおいて、幅細凸部と幅広凸部の高さが同じとされたことを特徴とする、電気信号接続用ソケットとしている。
請求項１１の考案は、請求項９記載の電気信号接続用ソケットにおいて、幅細凸部と幅広凸部の高さが同じとされたことを特徴とする、電気信号接続用ソケットとしている。
請求項１２の考案は、請求項４記載の電気信号接続用ソケットにおいて、幅細凸部と幅広凸部の高さが同じとされたことを特徴とする、電気信号接続用ソケットとしている。
請求項１３の考案は、請求項５記載の電気信号接続用ソケットにおいて、幅細凸部と幅広凸部の高さが同じとされたことを特徴とする、電気信号接続用ソケットとしている。
【考案の効果】
【０００９】
本考案の電気信号接続用ソケットの構造は従来の技術のものに較べて、構造が簡単である設計条件の下で、弾性サスペンションアームの耐圧能力が高められて良好な使用保全作用を獲得できるものとされ、その空間形態も従来のものとは異なり、従来の技術にはない長所を有しており、電気信号コネクタの技術領域において大きな進歩を達成している。
【考案を実施するための最良の形態】
【００１０】
図１から図３は本考案の電気信号接続用ソケットの実施例を示し、それは符号１０を以て表示される。この電気信号接続用ソケット１０は、剛性壁１１で内部の中空室１２を画定したケース構造とされ、該剛性壁１１の内表面に溝或いは軌道１３が形成されて、電気信号プラグの進入を案内すると共に挿入時の側方向移動を制限する作用を提供する。一対の弾性サスペンションアーム１４が該中空室１２内の入口近くの相互に対称な所定位置に設置される。本考案の図示される実施例では、この弾性サスペンションアーム１４は中空室１２の内表面の入口近くの二つの対応位置に形成され、プラグ２０の挿入方向に向けて延伸され、外力作用を受けて揺動移動する自由端１５を具えている。
【００１１】
実質上、これら弾性サスペンションアームの自由端１５の中空室１２に向いた面に、更に一対の相互に隣接し、但し平面の入口に面した比較的幅細の所定位置に設けられた内向きに傾斜する幅細凸部１６と、幅広の所定位置に外向きに傾斜する幅広凸部１７が設けられ、且つ幅細凸部１６に入口に向いたストッパ部１６１が形成されている。図１、２に示されるように、幅細凸部１６と幅広凸部１７の最突出点には接続或いは連続する脊線１８が形成され、幅細凸部１６と幅広凸部１７が中空室１２内で同じ高さを具備するものとされ、且つ幅広凸部１７は幅細凸部１６に対してプラグの挿入方向にあって幅広の外側位置に形成され、且つ幅細凸部１６に入口に向けて中空室１２の内壁面に垂直なストッパ部が形成されている。
【００１２】
図２、３に示されるように、弾性サスペンションアーム１４の外側付近にあって、電気信号接続用ソケット１０の本体を利用し少なくとも一つの材質が強靱な（例えば金属の）強化支持片４０が固定され、該強化支持片４０は常態で弾性サスペンションアーム１４の外側に支持され、強化した内向きの支持力を提供する。電気信号接続用ソケット１０はブロードバンドモデムシステム中に適用され、その中空室１２の横幅サイズは一般のナローバンドのものより約３ｍｍ広い。これにより、操作者が正確な形式でない或いは一般のナローバンドのプラグ２０を上述の電気信号接続用ソケット１０に挿入する時、プラグ２０の横幅が不足するため、弾性サスペンションアーム１４の幅細凸部１６の前端のストッパ部１６１の阻止を受け、プラグ２０は電気信号接続用ソケット１０に進入し接続され得ず、不注意或いは誤操作によるモデム或いは関係機器の短絡、損壊の状況を発生させない。且つ、上述の強化支持片４０の提供する内向きの支持力が弾性サスペンションアームに十分な耐圧支持力を提供し、プラグ挿入時の外向きの押圧力を分散させ、弾性サスペンションアームの弾性疲労の可能性を減らす。
【００１３】
更に図４、５には正確な幅規格の電気信号プラグ３０が電気信号接続用ソケット１０に挿入される状態を示す。プラグの前端３１の幅は完全に中空室１２を充満し、ゆえに挿入時にその底面が幅広凸部１７の入口に向けて傾斜する表面に沿って徐々に弾性サスペンションアーム１４の自由端１５を圧迫して中空室１２の外側に向けて偏移させ、これは図５に示される状況である。このとき、幅細凸部１６は自由端１５に伴い外向きに偏移し、プラグに対して阻止を形成することなくプラグを中空室１２内に進入させ、プラグとソケットの接続を形成させる。
【図面の簡単な説明】
【００１４】
【図１】本考案の実施例の立体外観図である。
【図２】図１の縦断面図である。
【図３】不正確なプラグを本考案の実施例に挿入した時の表示図である。
【図４】正確なプラグを本考案の実施例に挿入した時の表示図である。
【図５】図４のプラグにより弾性サスペンションアームが偏移する動作表示図である。
【符号の説明】
【００１５】
１０  ソケット
１１  剛性壁
１２  中空室
１３  溝或いは軌道
１４  弾性サスペンションアーム
１５  自由端
１６  幅細凸部
１６１  ストッパ部
１７  幅広凸部
１８  脊線
２０  プラグ
３０  プラグ
４０  強化支持片
【図１】
0003105324.tif 000003
【図２】
0003105324.tif 000004
【図３】
0003105324.tif 000005
【図４】
0003105324.tif 000006
【図５】
0003105324.tif 000007